(57)【要約】【課題】  メタデータの伝送時間の短縮化が図られた映像送信装置、映像受信装置及びデータ伝送方法を提供する。【解決手段】  本発明に係る映像送信装置２は、映像受信装置３に対して映像信号を送信する映像送信装置であって、映像受信装置２から、メタデータの伝送要求を受信するコマンド送受信部２４と、コマンド送受信部２４によって受信した伝送要求に応じたメタデータを、映像信号に重畳させるメタデータ重畳部２２と、メタデータ重畳部２２によってメタデータを重畳させた映像信号を、映像受信装置３に対して送信する映像送信部２３とを備えるため、メタデータを、映像信号を送るためのチャンネルで映像送信装置２から映像受信装置３へ伝送することができ、伝送速度の低いチャンネルで伝送する場合に比べて、短い伝送時間でメタデータを高速伝送することができる。【選択図】  図２
2008160430.tif 000002
【特許請求の範囲】
【請求項１】
映像受信装置に対して映像信号を送信する映像送信装置であって、
前記映像受信装置から、メタデータの伝送要求を制御コマンドとして受信する受信手段と、
前記受信手段によって受信した前記伝送要求に応じたメタデータを、前記映像信号に重畳させるメタデータ重畳手段と、
前記メタデータ重畳手段によって前記メタデータを重畳させた前記映像信号を、前記映像受信装置に対して送信する送信手段と
を備える、映像送信装置。
【請求項２】
前記映像信号は、映像データが伝送される第１の領域と、制御データが伝送される第２の領域と、前記第１の領域及び前記第２の領域の残余領域である第３の領域とを有し、
前記メタデータ重畳手段は、前記映像信号の前記第２の領域又は前記第３の領域に、前記メタデータを重畳させる、
請求項１記載の映像送信装置。
【請求項３】
前記映像信号は、映像データが伝送される第１の領域と、制御データが伝送される第２の領域と、前記第１の領域及び前記第２の領域の残余領域である第３の領域とを有し、
前記メタデータ重畳手段は、所定のヘッダをつけて、前記映像信号の前記第２の領域に前記メタデータを重畳させる、
請求項１記載の映像送信装置。
【請求項４】
映像送信装置から映像信号を受信する映像受信装置であって、
前記映像送信装置に対して、メタデータの伝送要求を制御コマンドとして送信する送信手段と、
前記伝送要求に応じて前記映像送信装置から送信された、前記メタデータが重畳された前記映像信号を受信する受信手段と、
前記受信手段によって受信し、前記メタデータが重畳された前記映像信号から、前記メタデータを抽出する抽出手段と
を備える、映像受信装置。
【請求項５】
前記映像信号は、映像データが伝送される第１の領域と、制御データが伝送される第２の領域と、前記第１の領域及び前記第２の領域の残余領域である第３の領域とを有し、
前記抽出手段は、前記映像信号の前記第２の領域又は前記第３の領域から、前記メタデータを抽出する、
請求項４記載の映像受信装置。
【請求項６】
前記映像信号は、映像データが伝送される第１の領域と、制御データが伝送される第２の領域と、前記第１の領域及び前記第２の領域の残余領域である第３の領域とを有し、
前記抽出手段は、所定のヘッダのついた前記メタデータを、前記映像信号の前記第２の領域から抽出する、
請求項４記載の映像受信装置。
【請求項７】
映像送信装置から映像受信装置に対してメタデータを送信するデータ伝送方法であって、
前記映像受信装置が、前記映像送信装置に対して、メタデータの伝送要求を制御コマンドとして送信するステップと、
前記映像送信装置が、前記映像受信装置から制御コマンドとして受信した前記伝送要求に応じた前記メタデータを、映像信号に重畳させるステップと、
前記映像送信装置が、前記メタデータを重畳させた前記映像信号を前記映像受信装置に対して送信するステップと、
前記映像受信装置が、前記映像送信装置から受信した前記メタデータを重畳させた前記映像信号から、前記メタデータを抽出するステップと
を含む、データ伝送方法。
【発明の詳細な説明】
【技術分野】
【０００１】
本発明は、映像送信装置、映像受信装置及びデータ伝送方法に関する。
【背景技術】
【０００２】
近年、ＨＤＤレコーダ等の映像送信装置と、テレビ等の映像受信装置との間を接続するインタフェースとして、ＨＤＭＩ（Ｈｉｇｈ−Ｄｉｆｉｎｉｔｉｏｎ  Ｍｕｌｔｉｍｅｄｉａ  Ｉｎｔｅｒｆａｃｅ）が普及しつつある。このＨＤＭＩは、下記非特許文献１において規格化されており、この文献中において、ＣＥＣ（Ｃｏｎｓｕｍｅｒ  Ｅｌｅｃｔｒｏｎｉｃｓ  Ｃｏｎｔｒｏｌ）と呼ばれる、装置間を互いに制御するための制御コマンド及び制御プロトコルが規格化されている。
【０００３】
そして、ＨＤＭＩ規格のインターフェースでは、複数のチャンネルにより、上記ＣＥＣの制御機器信号や映像信号等のデータ伝送が行われている。
【０００４】
このＨＤＭＩ規格のインターフェイスでは、メタデータの伝送要求及びメタデータの伝送用として伝送速度の比較的低いＣＥＣのチャンネルが確保されており、映像信号の伝送用として伝送速度の速いチャンネルが確保されている。
【非特許文献１】Ｈｉｔａｃｈｉ，Ｌｔｄ．、他６社、“Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３”、［ｏｎｌｉｎｅ］、２００６年６月２２日、ＨＤＭＩ  Ｌｉｃｅｎｓｉｎｇ，ＬＬＣ、［平成１８年９月２３日検索］、インターネット（ＵＲＬ：http://www.hdmi.org/）
【発明の開示】
【発明が解決しようとする課題】
【０００５】
上述したＨＤＭＩ規格のインターフェースを使用して、映像送信装置から映像受信装置へメタデータを伝送したいことがある。ここで、メタデータとは、例えば、映像コンテンツリストや番組録画リスト、電子番組表（ＥＰＧ）等のデータであり、テキスト項目を含んだデータである。そして、先述のとおり、映像送信装置から映像受信装置との制御コマンドのやり取りは、従来はＣＥＣチャンネルで行っていた。しかしながら、メタデータのデータ容量は大きいことが多く、ＣＥＣチャンネルは伝送速度が比較的遅い。よって、メタデータの伝送時間が長くなってしまうという課題があった。
【０００６】
そこで、本発明は、上述の課題を解決するためになされたもので、メタデータの伝送時間の短縮化が図られた映像送信装置、映像受信装置及びデータ伝送方法を提供することを目的とする。
【課題を解決するための手段】
【０００７】
本発明に係る映像送信装置は、映像受信装置に対して映像信号を送信する映像送信装置であって、映像受信装置から、メタデータの伝送要求を制御コマンドとして受信する受信手段と、受信手段によって受信した伝送要求に応じたメタデータを、映像信号に重畳させるメタデータ重畳手段と、メタデータ重畳手段によってメタデータを重畳させた映像信号を、映像受信装置に対して送信する送信手段とを備える。
【０００８】
この映像送信装置においては、メタデータを、映像信号を送るためのチャンネルで映像送信装置から映像受信装置へ伝送することができるため、伝送速度の低いチャンネルで伝送する場合に比べて、短い伝送時間でメタデータを高速伝送することができる。
【０００９】
また、映像信号が、映像データが伝送される第１の領域と、制御データが伝送される第２の領域と、第１の領域及び第２の領域の残余領域である第３の領域とを有する場合には、メタデータ重畳手段が、映像信号の第２の領域又は第３の領域にメタデータを重畳させる態様であってもよく、また、メタデータ重畳手段が、所定のヘッダをつけて、映像信号の第２の領域にメタデータを重畳させる態様であってもよい。
【００１０】
本発明に係る映像受信装置は、映像送信装置から映像信号を受信する映像受信装置であって、映像送信装置に対して、メタデータの伝送要求を制御コマンドとして送信する送信手段と、伝送要求に応じて映像送信装置から送信された、メタデータが重畳された映像信号を受信する受信手段と、受信手段によって受信し、メタデータが重畳された映像信号から、メタデータを抽出する抽出手段とを備える。
【００１１】
この映像受信装置においては、メタデータを、映像信号を送るためのチャンネルで映像送信装置から映像受信装置へ伝送することができるため、伝送速度の低いチャンネルで伝送する場合に比べて、短い伝送時間でメタデータを高速伝送することができる。
【００１２】
また、映像信号が、映像データが伝送される第１の領域と、制御データが伝送される第２の領域と、第１の領域及び第２の領域の残余領域である第３の領域とを有する場合には、抽出手段が、映像信号の第２の領域又は第３の領域からメタデータを抽出する態様であってもよく、また、抽出手段が、所定のヘッダのついたメタデータを、映像信号の第２の領域から抽出する態様であってもよい。
【００１３】
本発明に係るデータ伝送方法は、映像送信装置から映像受信装置に対してメタデータを送信するデータ伝送方法であって、映像受信装置が、映像送信装置に対して、メタデータの伝送要求を制御コマンドとして送信するステップと、映像送信装置が、映像受信装置から制御コマンドとして受信した伝送要求に応じたメタデータを、映像信号に重畳させるステップと、映像送信装置が、メタデータを重畳させた映像信号を映像受信装置に対して送信するステップと、映像受信装置が、映像送信装置から受信したメタデータを重畳させた映像信号から、メタデータを抽出するステップとを含む。
【００１４】
この伝送方法においては、メタデータを、映像信号を送るためのチャンネルで映像送信装置から映像受信装置へ伝送することができるため、伝送速度の低いチャンネルで伝送する場合に比べて、短い伝送時間でメタデータを高速伝送することができる。
【発明の効果】
【００１５】
本発明によれば、メタデータの伝送時間の短縮化が図られた映像送信装置、映像受信装置及びデータ伝送方法が提供される。
【発明を実施するための最良の形態】
【００１６】
以下、添付図面を参照して本発明を実施するにあたり最良と思われる形態について詳細に説明する。なお、同一又は同等の要素については同一の符号を付し、説明が重複する場合にはその説明を省略する。
【００１７】
本発明の実施形態に係るデータ伝送システム１は、ＨＤＭＩ信号線４を介して互いに通信可能に接続された映像送信装置３と映像受信装置４とを備えている。
【００１８】
映像出力装置２は、例えばＨＤＤレコーダ、ＤＶＤプレーヤ、セットトップボックス（ＳＴＢ）、チューナ、コンピュータ、記録再生装置等である。映像出力装置２は、ＤＶＤ等の記憶媒体に記憶された映像やアンテナから入力される放送波から得られる映像に関する映像信号を、ＨＤＭＩ信号線４を介して映像受信装置３に送信する。
【００１９】
映像受信装置３は、例えばデジタルテレビやＰＣ用モニタ等である。この映像受信装置３は、上記映像送信装置２から受信した映像信号を用いて、その映像信号に係る映像を表示する。
【００２０】
次に、上述した映像送信装置２について、図２を参照しつつより詳しく説明する。ここで、図２は、本実施形態に係る映像送信装置２の概略構成を示すブロック図である。
【００２１】
映像送信装置２は、機能的構成要素として、メイン処理部２１と、映像送信部（送信手段）２２と、コマンド送受信部（受信手段）２３と、メタデータ重畳部（メタデータ重畳手段）２４と、格納部２５とを有し、物理的構成要素として、ＣＰＵ、各種メモリ、通信装置等を有している。なお、メイン処理部２１とコマンド送受信部２３、メイン処理部２１とメタデータ重畳部２４、映像送信部２２とコマンド送受信部２３とは、それぞれ制御線（Ｉ２Ｃ  Ｂｕｓ）を介して接続されている。また、メイン処理部２１と映像送信部２２とは、映像線を介して接続されている。
【００２２】
メイン処理部２１は、例えば記憶媒体（図示せず）に記録されたデータを再生して得られる映像信号を、映像送信部２２に対して出力する機能を有する。また、メイン処理部２１は、コマンド送受信部２３による映像受信装置３との制御コマンドの送受信を制御する。
【００２３】
映像送信部２２は、メイン処理部２１から入力された上記映像信号を、ＨＤＭＩ信号線４を構成する映像送受信線４ａ（ＴＭＤＳ：Ｔｒａｎｓｉｔｉｏｎ  Ｍｉｎｉｍｉｚｅｄ  Ｄｉｆｆｅｒｅｎｔｉａｌ  Ｓｉｇｎａｌｉｚｉｎｇ）から映像受信装置３へ出力する機能を有する。この映像送受信線４ａは、ＨＤＭＩ信号線４の大部分のチャンネルを利用する信号線であり、映像送受信線４ａでは高い伝送速度（例えば、３．４Ｇｂｐｓ）でデータ伝送が行われる。
【００２４】
コマンド送受信部２３は、メイン処理部２１による制御の下で、ＨＤＭＩ信号線４を構成するコマンド送受信線４ｂを介して、映像受信装置３との間でＣＥＣの制御コマンドの送受信をおこなう。このコマンド送受信線４ｂは、ＨＤＭＩ信号線４のうちの１つのチャンネルのみを利用する信号線であり、コマンド送受信線４ｂでは低い伝送速度（例えば、４００ｂｐｓ）でデータ伝送が行われる。
【００２５】
メタデータ重畳部２４は、メイン処理部２１の映像信号に、格納部２５に格納された所定のメタデータを重畳する機能を有する。
【００２６】
ここで、メタデータが重畳される映像信号について、図３を参照しつつ説明する。図３は、映像信号の映像フレームの構成を模式的に示した図である。
【００２７】
上述した映像信号は、複数の映像フレームによって構成されており、各映像フレームは、図３に示すように、コントロール期間（ＣｏｎｔｒｏｌＰｅｒｉｏｄ）と、データアイランド期間（Ｄａｔａ ｉｓｌａｎｄ Ｐｅｒｉｏｄ）と、ビデオデータ期間（Ｖｉｄｅｏ Ｄａｔａ Ｐｅｒｉｏｄ）とによって構成されている。
【００２８】
コントロール期間（第２の領域）には制御データが伝送される。また、データアイランド期間（第３の領域）にはパケットデータが伝送され、このパケットデータには音声情報や補助的な情報等が含まれている。ビデオデータ期間（第１の領域）には映像を構成する映像ピクセル等の映像データが伝送される。
【００２９】
そして、上述したメタデータは、映像フレームの３種類の期間のうちのデータアイランド期間において映像フレームに重畳される。このようにメタデータを重畳した場合には、少なくとも５Ｍｂｐｓ程度の伝送速度での伝送が実現されることとなる。
【００３０】
上記データアイランド期間に伝送されるパケットの一種に、補助的な情報を伝送するためのインフォフレームパケット（ＩｎｆｏＦｒａｍｅＰａｃｋｅｔ）がある。このインフォフレームパケットは、図４（ａ）に示すようなデータ構造のパケットヘッダと、図４（ｂ）に示すようなデータ構造のパケット本体とを含んだ構成となっている。
【００３１】
図４（ａ）のパケットヘッダは、それぞれ１バイトである［ＨＢ０］、［ＨＢ１］及び［ＨＢ２］（計３バイト）によって構成されている。そして、上段の［ＨＢ０］ではインフォフレームのタイプ（ＩｎｆｏＦｒａｍｅ＿Ｔｙｐｅ）を定義することができ、中段の［ＨＢ１］ではインフォフレームのバージョン（ＩｎｆｏＦｒａｍｅ＿ｖｅｒｓｉｏｎ）を定義することができ、さらに、下段の［ＨＢ２］ではインフォフレームの長さ（ＩｎｆｏＦｒａｍｅ＿ｌｅｎｇｔｈ）を定義することができるようになっている。
【００３２】
図４（ｂ）のパケット本体は、それぞれ１バイトの［ＰＢ０］〜［ＰＢ２７］（計２８バイト）によって構成されている。このパケット本体のうち、最上段の［ＰＢ０］はチェックサム（Ｃｈｅｃｋｓｕｍ）に用いられ、その他の［ＰＢ１］〜［ＰＢ２７］はコンテンツデータ（ＤａｔａＢｙｔｅ １〜２７）の格納に用いられる。
【００３３】
そのため、インフォフレームパケットのパケットヘッダの未定義番号においてメタデータを定義し、パケット本体にメタデータを格納することで、データアイランド期間において実際にメタデータのパケットを伝送することができる。
【００３４】
なお、映像フレームのヘッダ部を書き換えることで、必要に応じて、映像フレームのコントロール期間においてメタデータを映像フレームに重畳してもよい。特に、図３に示した映像フレームにおいて、ビデオデータ期間の左側に位置するコントロール期間は、近接するデータアイランド期間よりも長くなっているため、より多くのデータを、１つの映像フレームに重畳させることができる。
【００３５】
続いて、上述した映像受信装置３について、図５を参照しつつ説明する。ここで、図５は、本実施形態に係る映像受信装置３の概略構成を示すブロック図である。
【００３６】
映像受信装置３は、機能的構成要素として、メイン処理部３１と、コマンド送受信部（送信手段）３２と、映像受信部（受信手段）３３と、表示部３４と、抽出部（抽出手段）３５とを有し、物理的構成要素として、ＣＰＵ、各種メモリ、映像表示装置、通信装置等を有している。なお、メイン処理部３１とコマンド送受信部３２、コマンド送受信部３２と映像受信部３３、メイン処理部３１と抽出部３５、抽出部と映像受信部３３とは、それぞれ制御線（Ｉ２Ｃ  Ｂｕｓ）を介して接続されている。また、映像受信部３３と表示部３４とは、映像線を介して接続されている。
【００３７】
メイン処理部３１は、コマンド送受信部３３による映像送信装置２との制御コマンドの送受信を制御する。また、メイン処理部３１はコマンド送受信部３３を介して映像受信部３４の制御を行う。ＨＤＭＩ信号線４を構成する映像送受信線４ａを介して映像受信部３４に入力された映像信号は、映像線を介して表示部３５に送られ、表示部３５が表示する。
【００３８】
コマンド送受信部３２は、メイン処理部３１による制御の下で、ＨＤＭＩ信号線４を構成するコマンド送受信線４ｂを介して、映像受信装置２との間でＣＥＣの制御コマンドの送受信をおこなう。この制御コマンドの一つとして、映像送信装置２に対してメタデータの電送を要求する信号である伝送要求がある。
【００３９】
抽出部３５は、メイン処理部３１の制御の下で、映像受信部において受信した映像信号の中から、映像信号に重畳されているメタデータを抽出する。抽出したメタデータは抽出部３５において一時的に格納され、抽出部３５は、必要に応じて抽出したメタデータの内容を表示部３４に表示する。
【００４０】
次に、上述した通信システム１におけるメタデータの伝送手順について、図６を参照しつつ説明する。ここで、図６は、通信システム１におけるメタデータの伝送手順について示したフロー図である。
【００４１】
通信システム１においてメタデータを伝送する際は、まず、映像受信装置３のコマンド送受信部３２から映像送信装置２に対して、メタデータの伝送要求を制御コマンドとしてコマンド送受信線４ｂを介して送信する（Ｓ１０）。すると、映像送信装置２のコマンド送受信部２４が、映像受信装置３からのメタデータの伝送要求を受信する（Ｓ１１）。
【００４２】
映像送信装置２は、コマンド送受信部２４においてメタデータの伝送要求を制御コマンドとして受信すると、メタデータ重畳部２２が、その伝送要求に対応する所定のメタデータを格納部２５から抽出すると共に、そのメタデータを映像受信装置３に送られるべき映像信号に重畳する（Ｓ１２）。さらに、映像送信装置２は、メタデータを重畳した映像信号を、メイン処理部２１から映像送信部２３に送り、映像送信部２３が映像送受信線４ａを介して映像受信装置３に対して送信する（Ｓ１３）。
【００４３】
映像受信装置３は、映像受信部３３において、メタデータが重畳された映像信号（メタデータ重畳映像信号）を受信すると（Ｓ１４）、抽出部３５が、そのメタデータ重畳映像信号からメタデータを抽出する共に格納し（Ｓ１５）、フローを終了する。
【００４４】
なお、抽出部３５が格納するメタデータは、当該メタデータに関するメタデータ関連情報を、所定のタイミングで表示部３４に表示したり、メイン処理部３１によって情報処理されたりする。
【００４５】
以上で詳細に説明したように、通信システム１の映像送信装置２及び映像受信装置３によれば、メタデータを、映像信号を送るためのチャンネルで映像送信装置から映像受信装置へ伝送することができるため、伝送速度の低いＣＥＣチャンネルで伝送する場合に比べて、短い伝送時間でメタデータを高速伝送することができる。
【図面の簡単な説明】
【００４６】
【図１】本発明の実施形態に係る映像送信装置及び映像受信装置が使用される通信システムの構成を示す図である。
【図２】図１に示した映像送信装置の概略構成を示すブロック図である。
【図３】映像信号の映像フレームの構成を示した図である。
【図４】インフォフレームパケットの構成を示した図であり、（ａ）はパケットヘッダのデータ構造、（ｂ）はパケット本体のデータ構造を示した図である。
【図５】図１に示した映像受信装置の概略構成を示すブロック図である。
【図６】図１の通信システムによるデータ伝送方法の手順を示したフロー図である。
【符号の説明】
【００４７】
１…通信システム、２…映像送信装置、３…映像受信装置、４…ＨＤＭＩ信号線、２１…メイン処理部、２２…映像送信部、２３…コマンド送受信部、２４…メタデータ重畳部、２５…格納部、３１…メイン処理部、３２…コマンド送受信部、３３…映像受信部、３４…表示部、３５…抽出部。
【図１】
2008160430.tif 000003
【図２】
2008160430.tif 000004
【図３】
2008160430.tif 000005
【図４】
2008160430.tif 000006
【図５】
2008160430.tif 000007
【図６】
2008160430.tif 000008